(57)【特許請求の範囲】
【請求項１】
化学物質の含有量を求めるための計算式を共通にする、同じ種別の部品群であるシリーズ品を特定するシリーズ識別子に対応して、前記シリーズ品のシリーズ名称、及び、前記シリーズ品の前記化学物質の含有量を求めるための前記計算式を特定する計算式識別子を格納するシリーズマスタデータベース、
前記化学物質の含有量を求めるために用いる前記計算式識別子に対応して、前記計算式を格納する計算式マスタデータベース、
前記シリーズ識別子に対応して、前記シリーズ識別子が示す前記シリーズ品に含まれる部品を特定する部品識別子を格納するシリーズ管理データベース、
前記シリーズ識別子に対応して、前記シリーズ識別子が示す前記シリーズ品に含まれる前記部品が含有する前記化学物質の名称および前記化学物質の含有率を格納する含有化学物質情報データベース、
前記部品識別子に対応して、前記部品識別子が示す前記部品の名称及び前記部品の質量を格納する部品情報データベース、
入力装置からの、新規部品を登録するための登録部品情報の入力に応答して、前記登録部品情報は前記シリーズマスタデータベースに格納されていない新規シリーズ品に関するかを判定する手段、
該判定の結果、前記新規シリーズ品に関するならば、前記登録部品情報に含まれる入力計算式識別子は前記計算式マスタデータベースに格納されているかを判定する手段、
該判定の結果、前記入力計算式識別子が前記計算式マスタデータベースに格納されているならば、前記登録部品情報に含まれる前記新規シリーズ品の、新規シリーズ識別子、新規シリーズ名称および前記入力計算式識別子を前記シリーズマスタデータベースに格納する手段、
前記シリーズ管理データベースに前記新規シリーズ識別子を格納する手段、
前記含有化学物質情報データベースに、前記新規シリーズ識別子に対応させて、前記登録部品情報に含まれる、前記新規部品が含有する新規化学物質の名称および前記新規化学物質の含有率を格納する手段、
格納した前記新規シリーズ識別子に対応させて、前記登録部品情報に含まれる、前記新規部品を特定する新規部品識別子を、前記シリーズ管理データベースに格納する手段、並びに、
前記新規部品識別子、前記新規部品の名称および前記新規部品の質量を、前記部品情報データベースに格納する手段を有することを特徴とする含有化学物質管理システム。
【請求項２】
前記入力計算式識別子が前記計算式マスタデータベースに格納されているかを判定する手段による判定の結果、前記入力計算式識別子が前記計算式マスタデータベースに格納されていないならば、前記入力計算式識別子に対応して、前記登録部品情報に含まれる新規計算式を前記計算式マスタデータベースに格納する手段をさらに有することを特徴とする請求項１記載の含有化学物質管理システム。
【請求項３】
前記入力装置からの、前記部品を検索する検索部品情報に応答して、前記検索部品情報に含まれ、前記部品情報データベースに格納されている、前記部品の名称及び前記部品の質量を出力装置に出力する手段、
前記シリーズマスタデータベースを参照して、前記検索部品情報に含まれる前記シリーズ識別子に対応する前記計算式識別子を前記出力装置に出力する手段、
前記含有化学物質情報データベースの前記化学物質の含有率と前記部品の質量とを前記計算式マスタデータベースに格納される前記計算式識別子が示す前記計算式に適用して、前記化学物質の含有量を算出する手段、並びに、
算出した前記化学物質の含有量を、前記化学物質の名称に対応付けて前記出力装置に出力する手段をさらに有することを特徴とする請求項２記載の含有化学物質管理システム。
【発明の詳細な説明】
【技術分野】
【０００１】
本発明は、製品の情報、及び製品を構成する部品の情報と共に、部品を構成している材料、化学物質の情報を管理するシステムに関する。
【背景技術】
【０００２】
近年、世界的な環境保護の観点から、化学物質に関する様々な規制が施行され、化学物質管理に対する厳しさが年々増している。特に欧州で施行されたREACH規則では、製品に含有される有害物質の有無だけではなく、化学物質の種類や含有量の開示が求められる。
【０００３】
しかし、管理しなければならない製品およびそれらの製品の部品点数が多い場合、手作業で管理には限界があり、化学物質管理システムの導入が進められてきている。特許文献１には、入力された部品情報が部品属性情報データベース登録されている情報と完全一致、部分一致、完全不一致する部品に分類し、部分一致の部品情報に関して配点に応じて入力部品を推定する技術が開示されている。
【先行技術文献】
【特許文献】
【０００４】
【特許文献１】特開2009-238118号
【発明の概要】
【発明が解決しようとする課題】
【０００５】
管理対象の製品や構成部品の種別や数が多いと、化学物質管理システムが具備すべきデータベースの容量が膨大になり、新規の部品のデータベースへの登録作業も膨大になる。このような状況において、特許文献１に開示される技術は、不確かな入力部品情報を推定する技術であり、手作業で管理を容易にしている。
【０００６】
しかしながら、化学物質に関する様々な規制を遵守するためには、推定ではなく、厳密性が求められるので、必然的にデータベースに登録される部品の種類や型式の数が膨大化する。部品の種類や型式の数が膨大化は、市場に部品やそれを用いた製品が存在する年月の経過によっても生じる。
【０００７】
製品や部品には、それらを管理するための管理番号は異なるが、それらを構成している材質や物質及びそれらの含有率が同じであるシリーズ品が含まれる。シリーズ品は、具体的には、種別は同じであるが、特性値等が異なることにより、型式などが異なる。上記の課題を解決する、すなわちデータベースを容量の増大を抑制するために、発明者はシリーズ品の存在に注目した。
【課題を解決するための手段】
【０００８】
開示される含有化学物質確認支援システムは、次のデータベースを有する。それらは、化学物質の含有量を求めるための計算式を共通にする、同じ種別の部品群であるシリーズ品を特定するシリーズ識別子に対応して、シリーズ品のシリーズ名称、及び、シリーズ品の化学物質の含有量を求めるための計算式を特定する計算式識別子を格納するシリーズマスタデータベース、化学物質の含有量を求めるために用いる計算式識別子に対応して、計算式を格納する計算式マスタデータベース、シリーズ識別子に対応して、シリーズ識別子が示すシリーズ品に含まれる部品を特定する部品識別子を格納するシリーズ管理データベース、シリーズ識別子に対応して、シリーズ識別子が示すシリーズ品に含まれる部品が含有する化学物質の名称および化学物質の含有率を格納する含有化学物質情報データベース、並びに、部品識別子に対応して、部品識別子が示す部品の名称及び部品の質量を格納する部品情報データベースである。含有化学物質確認支援システムは、さらに、入力装置からの、新規部品を登録するための登録部品情報の入力に応答して、登録部品情報はシリーズマスタデータベースに格納されていない新規シリーズ品に関するかを判定する手段、この判定の結果、新規シリーズ品に関するならば、登録部品情報に含まれる入力計算式識別子は計算式マスタデータベースに格納されているかを判定する手段、この判定の結果、入力計算式識別子が計算式マスタデータベースに格納されているならば、登録部品情報に含まれる新規シリーズ品の、新規シリーズ識別子、新規シリーズ名称および入力計算式識別子をシリーズマスタデータベースに格納する手段、シリーズ管理データベースに新規シリーズ識別子を格納する手段、含有化学物質情報データベースに、新規シリーズ識別子に対応させて、登録部品情報に含まれる、新規部品が含有する新規化学物質の名称および新規化学物質の含有率を格納する手段、格納した新規シリーズ識別子に対応させて、登録部品情報に含まれる、新規部品を特定する新規部品識別子を、シリーズ管理データベースに格納する手段、並びに、新規部品識別子、新規部品の名称および新規部品の質量を、部品情報データベースに格納する手段を有する。
【０００９】
含有化学物質確認支援システムの望ましい他の態様は、入力計算式識別子が計算式マスタデータベースに格納されているかを判定する手段による判定の結果、入力計算式識別子が計算式マスタデータベースに格納されていないならば、入力計算式識別子に対応して、登録部品情報に含まれる新規計算式を計算式マスタデータベースに格納する手段をさらに有する。
【００１０】
含有化学物質確認支援システムの望ましいさらに他の態様は、入力装置からの、部品を検索する検索部品情報に応答して、検索部品情報に含まれ、部品情報データベースに格納されている、部品の名称及び質量を出力装置に出力する手段、シリーズマスタデータベースを参照して、検索部品情報に含まれるシリーズ識別子に対応する計算式識別子を出力装置に出力する手段、含有化学物質情報データベースの化学物質の含有率と部品の質量とを計算式マスタデータベースに格納される計算式識別子が示す計算式に適用して、化学物質の含有量を算出する手段、並びに、算出した化学物質の含有量を、化学物質の名称に対応付けて出力装置に出力する手段をさらに有する。
【発明の効果】
【００１１】
本発明によれば、含有化学物質管理システムのデータベースの容量の増加を抑制できる。
【図面の簡単な説明】
【００１２】
【図１】含有化学物質管理システムの構成例である。
【図２】シリーズマスタデータベースの例である。
【図３】シリーズ管理データベースの例である。
【図４】計算式マスタデータベースの例である。
【図５】変数マスタデータベースの例である。
【図６】部品情報データベースの例である。
【図７】含有化学物質情報データベースの例である。
【図８】部品登録部の処理フローチャートである。
【図９Ａ】部品登録画面の例である。
【図９Ｂ】部品登録画面の例である。
【図９Ｃ】部品登録画面の例である。
【図１０】部品削除部の処理フローチャートである。
【図１１Ａ】部品削除画面の例である。
【図１１Ｂ】部品削除画面の例である。
【図１２】部品検索部の処理フローチャートである。
【図１３Ａ】部品検索画面の例である。
【図１３Ｂ】部品検索画面の例である。
【図１３Ｃ】部品検索画面の例である。
【発明を実施するための形態】
【００１３】
図１に、含有化学物質管理システム１０の構成例を示す。含有化学物質管理システム１０は、ＣＰＵ１１、メモリ１２、記憶装置１３、入力装置１４、出力装置１５、通信インタフェイス１６などを含む。記憶装置１３には、管理部２０のプログラムが格納され、管理部２０のプログラムがメモリ１２に読み出され、ＣＰＵ１１により実行される。管理部２０は、部品登録部２１、部品削除部２２、及び部品検索部２３の各処理部を含み、これらの処理部は、入力装置１４を介したユーザによる起動に応答して、各々実行される。
【００１４】
記憶装置１３には、管理部２０が用いるシリーズマスタデータベース２００、シリーズ管理データベース３００、計算式マスタデータベース４００、変数マスタデータベース５００、部品情報データベース６００、および、含有化学物質情報データベース７００を格納している。メモリ１２には、管理部２０のプログラムと共に、管理部２０が用いるワークエリアが確保される。
【００１５】
入力装置１４および出力装置１５は、含有化学物質管理システム１０との間で情報を入出力できれば良く、一体構成の装置であっても良い。通信インターフェイス１６は、他のコンピュータに構成される部品の購買システムなどとの間の通信に用いられる。
【００１６】
記憶装置１３に格納され、管理部２０により用いられる各データベースの構成を説明する。説明中、たとえばシリーズ品を特定するシリーズ番号や部品を特定する部品番号のように、特定する情報を番号と呼ぶが、特定する情報はいわゆる識別子である。
【００１７】
図２に、シリーズマスタデータベース２００の例を示す。シリーズマスタデータベース２００は、シリーズを特定するシリーズ番号２０１に対応して、シリーズ名称２０２、及び、そのシリーズの化学物質の含有量を求めるための適用計算式２０４を格納する。個々の部品を特定する識別子である型式や管理番号は異なるが、それらを構成している材質や物質及びそれらの含有率が同じであるものをシリーズ、又はシリーズ品と呼ぶ。シリーズ品は、具体的には、種別は同じであるが、特性値等が異なることにより、型式などが異なる。換言すると、化学物質の含有量を求めるための適用計算式を共通にする、同じ種別の部品群をシリーズ品と呼ぶ。ここでは、説明を簡単にするために、シリーズ番号２０１に対応して一つの適用計算式２０４として説明するが、シリーズ番号２０１に対応して、含有量を求める化学物質が複数種類あり、化学物質の種類に対応して適用計算式が複数ある場合は、化学物質の欄を設け、その化学物質に対応して適用計算式を格納する。
【００１８】
図３に、シリーズ管理データベース３００の例を示す。シリーズ管理データベース３００は、シリーズ番号３０１に対応して、そのシリーズに含まれる部品の部品番号３０２を格納する。図３では、たとえば、シリーズ番号３０１がS‐001のシリーズに、部品番号３０２がX‐01‐A‐1、X‐01‐A‐2、X‐01‐A‐3、及び、X‐01‐A‐4の部品が含まれることを示している。
【００１９】
図４に、計算式マスタデータベース４００の例を示す。計算式マスタデータベース４００は、含有化学物質管理システム１０が、化学物質の含有量を求めるために用いる計算式を特定する計算式番号４０１に対応して、計算式４０２を格納する。計算式マスタデータベース４００には、不要な計算式を含んでも、容量を極端に大きくするものではないので、現在は使用していないが、過去に使用した、又は、将来使用する可能性のある計算式を含んでいても良い。
【００２０】
図５に、変数マスタデータベース５００の例を示す。変数マスタデータベース５００は、計算式マスタデータベース４００に格納されている計算式４０２で用いられている変数の定義を格納する。変数マスタデータベース５００は、各変数を特定する変数番号５０１、変数５０２、変数名５０３、および、変数の単位５０４を対応付けて格納する。
【００２１】
シリーズマスタデータベース２００の適用計算式２０４で特定される、計算式マスタデータベース４００の計算式４０２に、変数マスタデータベース５００の変数の定義を適用して、化学物質の含有量を求める。たとえば、計算式番号４０１がdefaultの計算式４０２は、ＰＭ＊（Ｃ／100）＝(部品質量)＊（物質含有率／100）ｇとなる。計算式マスタデータベース４００および変数マスタデータベース５００に見られるように、同じ変数５０２が複数の計算式４０２に用いられるほど、変数マスタデータベース５００の容量の肥大化を防ぐことができる。
【００２２】
図６に、部品情報データベース６００の例を示す。部品情報データベース６００は、個々の部品を特定する部品番号６０１、部品名６０２、及び、部品質量６０３を格納する。一般に、部品情報データベース６００には、購買システムなどから入力される価格やサイズなどの属性情報も、部品番号６０１に対応付けて格納されるが、ここでは省略する。
【００２３】
図７に、含有化学物質情報データベース７００の例を示す。含有化学物質情報データベース７００は、シリーズ番号７０１、シリーズ番号７０１の部品が含有する化学物質名称７０２、その化学物質の含有率７０３を格納する。図７の含有化学物質情報データベース７００は、シリーズ番号７０１対応にレコードが構成されるので、部品情報データベース６００に登録されている部品数(レコード数)よりもシリーズ数は少ないので、含有化学物質情報データベース７００の容量を少なくできる。また、新たなシリーズ品を管理対象とする場合に、含有化学物質情報データベース７００に新規に登録する必要があるが、既に含有化学物質情報データベース７００に登録済みのシリーズ品に含まれる新たな部品を管理対象とする場合は、含有化学物質情報データベース７００への登録は不要になる。
【００２４】
管理部２０に含まれる部品登録部２１、部品削除部２２、及び部品検索部２３の各処理を説明する。
【００２５】
図８に、部品登録部２１の処理フローチャートを示す。登録する部品に関する情報を入力する(ステップ８００)。部品情報入力のため出力する画面例９００を図９Ａに示す。部品情報として入力される項目は、登録する部品の、シリーズ名称９０５、部品名９１０、部品番号９１５、及び、部品質量９２０である。
【００２６】
シリーズ名称９０５の入力を容易にするために、シリーズマスタデータベース２００の内容であるシリーズ一覧９５０を表示する。既に含有化学物質管理システム１０に登録されているシリーズに含まれる部品情報を入力する場合、ユーザはシリーズ一覧９５０の該当する行を選択することにより、図９Ｂに示すように、シリーズ名称９０５を出力する。新規のシリーズの部品情報を入力する場合は、ユーザは、シリーズ名称９０５に新たなシリーズ名称を入力する。
【００２７】
部品登録部２１は、シリーズ名称９０５の入力に応答して、シリーズ管理データベース３００を参照して、入力されたシリーズの部品番号３０２の一覧に、部品情報データベース６００の部品名６０２及び部品質量６０３を対応させた一覧表９６０を出力する。このとき、部品情報が入力される部品に付される部品番号９１５を出力する。
【００２８】
図９Ｂに示す例では、抵抗01シリーズの部品番号は、一覧表９６０から分かるようにX‐01‐A‐4まで使用されているので、部品情報が入力される部品に付される部品番号９１５は、X‐01‐A‐5であることを示している。
【００２９】
ユーザが、部品番号９１５に出力した内容を変更したり、後述する部品削除部２２により登録されている部品が削除されたりすると、欠番が発生する。このような場合、欠番を部品情報が入力される部品に付される部品番号９１５に欠番を付しても良いし、最後に登録された部品番号の次の部品番号を付しても良い。
【００３０】
ユーザは、図９Ｂに示す部品登録画面９００に部品名９１０及び部品質量９２０を入力する。
【００３１】
新規のシリーズ名称が入力された場合は、図９Ｂに示す一覧表９６０を出力しない。新規のシリーズ名称が入力された例を図９Ｃに示す。ユーザは、シリーズ名称９０５が入力に引き続き、部品名９１０、部品番号９１５、部品質量９２０、適用計算式９２５、並びに、部品が含む化学物質及びその含有率９３０を入力する。
【００３２】
適用計算式９２５は、計算式マスタデータベース４００に格納されている適用計算式の一覧表９７０を出力し、ユーザに選択入力させる。新規の計算式の場合は、ユーザは、その計算式を適用計算式９２５に入力させる。新規の計算式の入力に伴って、その計算式で用いる変数の定義を入力させる。この場合、変数マスタデータベース５００を参照した一覧表示や、ユーザに選択入力させるが、前述の他の項目の入力方法と類似するので説明を省略する。
【００３３】
図８に戻って説明する。入力された部品情報は、シリーズマスタデータベース２００に格納されていない新規のシリーズに関するものかを判定する(ステップ８０５)。新規でない、すなわちシリーズマスタデータベース２００に格納されているシリーズの部品情報であるならば、ステップ８３０へ分岐する。
【００３４】
新規のシリーズに関する部品情報であるならば、入力された適用計算式９２５は、計算式マスタデータベース４００にあるか否かを判定する(ステップ８１０)。この判定は、図９Ｃに示した部品登録画面９００の例において、適応計算式一覧９７０から選択入力されたものか、適用計算式９２５に入力されたものかを判定することに等しい。新規の計算式でないならば、ステップ８２０へ分岐する。
【００３５】
新規の計算式であるならば、部品登録画面９００の適用計算式９２５に入力された計算式を計算式マスタデータベース４００に新たな計算式番号４０１に格納すると共に、新たな変数を用いているならば、変数マスタデータベース５００に新たな変数番号５０１に対応付けて、新たな変数５０２、その変数名５０３、および、その変数の単位５０４を格納する。
【００３６】
シリーズマスタデータベース２００に、入力されたシリーズ名称９０５をシリーズ名称２０２として、入力された適用計算式９２５を適用計算式２０３として、これらに対応させるシリーズ番号２０１と共に格納する(ステップ８２０)。また、シリーズ管理データベース３００のシリーズ番号３０１に、新規のシリーズ番号２０１と同じシリーズ番号を格納する。同時に部品番号３０２に、部品登録画面９００の部品番号９１５を入力しても良いが、後述するステップ８３０で上書きされる。
【００３７】
シリーズマスタデータベース２００に格納した新規のシリーズ番号２０１と同じシリーズ番号を、含有化学物質情報データベース７００のシリーズ番号７０１として格納し、これに対応させて、入力された部品が含む化学物質及びその含有率９３０を化学物質名称７０２及び含有率７０３として格納する(ステップ８２５)。
【００３８】
シリーズ管理データベース３００の部品番号３０２に、入力された部品番号９１５を格納し、部品情報データベース６００の部品番号６０１、部品名６０２、および、部品質量６０３に、入力された部品番号９１５、部品名９１０、および、部品質量９２０を格納する(ステップ８３０)。
【００３９】
以上のように、部品登録部２１の処理を実行すると、含有化学物質管理システム１０の各データベースに既に格納されている情報の再格納を最小限にし、データベース全体としての容量の増大を防ぐことができる。
【００４０】
図１０に、部品削除部２２の処理フローチャートを示す。削除する部品に関する情報を入力する(ステップ１０００)。部品情報入力のため出力する画面例１１００を図１１Ａに示す。部品情報として入力される項目は、削除する部品の、シリーズ名称１１０５、部品名１１１０、及び、部品番号１１１５である。部品名１１１０、及び、部品番号１１１５は、いずれか一方が入力されれば良いが、ユーザの入力の容易性のために、両項目の入力を可能にしている。削除する部品の部品情報入力の方法は、前述の部品登録の場合に類似しているので簡単に説明する。
【００４１】
シリーズ名称１１０５の入力を容易にするために、シリーズマスタデータベース２００の内容であるシリーズ一覧１１３０を表示する。ユーザはシリーズ一覧１１３０の該当する行（削除する部品を含むシリーズ番号又はシリーズ名称がある行）を選択することにより、図１１Ｂに示すように、シリーズ名称１１０５を出力する。
【００４２】
部品削除部２２は、シリーズ名称１１０５の入力に応答して、シリーズ管理データベース３００を参照して、入力されたシリーズの部品番号３０２の一覧に、部品情報データベース６００の部品名６０２及び部品質量６０３を対応させた一覧表１１４０を出力する。部品名６０２及び部品質量６０３を、一覧表１１４０に含む必要はないが、部品番号のみの一覧出力を見たユーザによる誤入力（削除すべきでない部品情報の削除）を避けるために、削除する部品を選択するための情報量を多くしておく。
【００４３】
ユーザは、図１１Ｂに示す部品削除画面１１００に部品名１１１０又は部品番号１１１５を入力する。この入力は、一覧表１１４０からの選択入力により、選択された部品に関して、部品名１１１０および部品番号１１１５を出力する。
【００４４】
図１０に戻って説明する。入力された部品情報を、部品情報データベース６００およびシリーズ管理データベース３００から削除する(ステップ１００５)。具体的には、入力された部品番号１１１５に対応する、部品情報データベース６００およびシリーズ管理データベース３００のレコードを削除する。
【００４５】
同じシリーズに、削除した部品情報以外の部品の部品情報があるかを判定する(ステップ１０１０)。具体的には、シリーズ管理データベース３００を参照して、入力されたシリーズ名称１１０５のシリーズ番号３０１に含まれる部品番号３０２が有るかを判定する。有れば、部品削除部２２の処理を終了する。
【００４６】
なければ、シリーズマスタデータベース２００及び含有化学物質情報データベース７００から、入力されたシリーズ番号１１０５に対応する（シリーズ番号２０１および７０１が一致する）レコードを削除し、（ステップ１０１５）。部品削除部２２の処理を終了する。
【００４７】
部品削除部２２の処理において、計算式マスタデータベース４００や変数マスタデータベース５００の内容は、たとえ削除可能であったとしても削除しない。なぜならば、計算式や変数定義の入力は、一般の文字列入力に比べて複雑であるので、再入力する場合の煩雑性と、前述したようにデータベース全体としての増加容量は少容量であることによる。
【００４８】
なお、含有化学物質管理システム１０は、市場に出そうとしている製品を構成する部品に含有される化学物質を管理するだけでなく、既に市場に出ている製品を構成する部品に含有される化学物質も管理しなければならないので、一般に、市場に管理対象部品が存在しないことを確認できない限り、部品削除部２２の処理を実行することは避けられる。
【００４９】
図１２に、部品検索部２３の処理フローチャートを示す。部品検索部２３は、入力された部品に関して、その部品による化学物質の含有量を出力する処理を実行する。検索する部品に関する情報を入力する(ステップ１２００)。部品情報入力のため出力する画面例１３００を図１３Ａに示す。部品情報として入力される項目は、検索する部品の、シリーズ名称１３０５、部品名１３１０、及び、部品番号１３１５である。部品名１３１０、及び、部品番号１３１５は、いずれか一方が入力されれば良いが、部品削除部２２の処理と同様に、ユーザの入力の容易性のために、両項目の入力を可能にしている。検索する部品の部品情報入力の方法は、前述の部品登録や部品削除の場合に類似しているので簡単に説明する。
【００５０】
シリーズ名称１３０５の入力を容易にするために、シリーズマスタデータベース２００の内容であるシリーズ一覧１３５０を表示する。ユーザはシリーズ一覧１３５０の該当する行（検索する部品を含むシリーズ番号又はシリーズ名称がある行）を選択することにより、図１３Ｂに示すように、シリーズ名称１３０５を出力する。
【００５１】
部品検索部２３は、シリーズ名称１３０５の入力に応答して、シリーズ管理データベース３００を参照して、入力されたシリーズの部品番号３０２の一覧に、部品情報データベース６００の部品名６０２及び部品質量６０３を対応させた一覧表１３６０を出力する。部品名６０２及び部品質量６０３を、一覧表１１４０に含む必要はないが、部品番号のみの一覧出力を見たユーザによる誤入力（検索が不要な部品情報の検索）を避けるために、検索する部品を選択するための情報量を多くしておく。
【００５２】
ユーザは、図１３Ｂに示す部品検索画面１３００に部品名１１１０又は部品番号１１１５を入力する。この入力は、一覧表１１４０からの選択入力により、選択された部品に関して、部品名１１１０および部品番号１１１５を出力する。部品名１１１０または部品番号１１１５の選択入力に応答して、部品情報データベース６００の内容を出力する(ステップ１２０５)。ここでは、図１３Ｂに示すように、一覧表１３６０の対応する部品質量を部品質量１３２０として出力することに等しい。前述したように、部品情報データベース６００に種々の属性情報が格納されていることが一般的であるので、そのような場合にその属性情報も出力する。
【００５３】
シリーズマスタデータベース２００を参照して、シリーズ名称１３０５に対応する適用計算式２０３を、図１３Ｃに示すように適用計算式１３２５に出力する(ステップ１２１０)。
【００５４】
計算式マスタデータベース４００、変数マスタデータベース５００、および、含有化学物質情報データベース７００を参照して、化学物質の含有量を算出する(ステップ１２１５)。具体的には、シリーズ名称１３０５に対応するシリーズ番号２０１をシリーズマスタデータベース２００から取得し、そのシリーズ番号２０１に対応するシリーズ番号７０１の化学物質名称７０２及び含有率７０３を得る。化学物質名称７０２は、図１３Ｃに示すように化学物質１３３０の化学物質名称欄に出力する。
【００５５】
一方、適用計算式１３２５に対応する計算式番号４０１の計算式４０２は、ＰＭ＊（Ｃ／100）＝(部品質量)＊（物質含有率／100）ｇであるので、部品質量１３２０と含有率７０３を代入して、化学物質の含有量を算出する。この含有量の算出を、シリーズ名称１３０５を示すシリーズ番号７０１に対応する、含有化学物質情報データベース７００に格納された化学物質毎に実行する。
【００５６】
算出した化学物質の含有量を、図１３Ｃに示すように化学物質１３３０の化学物質名称に対応付けて表示する。図１３Ｃでは、含有量と共に含有率も表示している。
【００５７】
以上の部品検索部２３の処理を実行することにより、ユーザは所望の部品の化学物質の含有量を容易に取得することができる。
【００５８】
本実施形態によれば、部品を構成している材質や物質及びそれらの含有率が同じであるシリーズ品の存在に注目したことにより、含有化学物質管理システムのデータベースの容量の増加を抑制できる。
【符号の説明】
【００５９】
１０：含有化学物質管理システム、１１：ＣＰＵ、１２：メモリ、１３：記憶装置、１４：入力装置、１５：出力装置、１６：通信インタフェイス、２０：管理部、２１：部品登録部、２２：部品削除部、２３：部品検索部、２００：シリーズマスタデータベース、３００：シリーズ管理データベース、４００：計算式マスタデータベース、５００：変数マスタデータベース、６００：部品情報データベース、７００：含有化学物質情報データベース。
【図１】
0005568020.tif 000002
【図２】
0005568020.tif 000003
【図３】
0005568020.tif 000004
【図４】
0005568020.tif 000005
【図５】
0005568020.tif 000006
【図６】
0005568020.tif 000007
【図７】
0005568020.tif 000008
【図８】
0005568020.tif 000009
【図９Ａ】
0005568020.tif 000010
【図９Ｂ】
0005568020.tif 000011
【図９Ｃ】
0005568020.tif 000012
【図１０】
0005568020.tif 000013
【図１１Ａ】
0005568020.tif 000014
【図１１Ｂ】
0005568020.tif 000015
【図１２】
0005568020.tif 000016
【図１３Ａ】
0005568020.tif 000017
【図１３Ｂ】
0005568020.tif 000018
【図１３Ｃ】
0005568020.tif 000019